(57)【要約】  【課題】容易且つ安価に製作できると共に、確実に偽造を防止できる電子認証シート及び該電子認証シートを認証するための電子認証システムを得る。  【解決手段】本発明は認証を必要とするシート（用紙１２）であって、該シート内にコイルとコンデンサより構成される共振回路１が埋め込まれている電子認証シート９を提供する。【選択図】図２
2005208775.tif 000002
【特許請求の範囲】
【請求項１】
認証を必要とするシートであって、該シート内にコイルとコンデンサより構成される共振回路が埋め込まれていることを特徴とする電子認証シート。
【請求項２】
上記共振回路は固有の値に設定された共振周波数を有していることを特徴とする請求項１記載の電子認証シート。
【請求項３】
上記共振回路は複数の共振回路で構成されると共に、該複数の共振回路は互いに異なる共振周波数を有し、該異なる共振周波数の組合せによって識別情報を形成するように構成されていることを特徴とする請求項１又は２記載の電子認証シート。
【請求項４】
上記シートは複数枚のシートを貼着してなり、上記共振回路は該複数枚のシート間に挟着されていることを特徴とする請求項１，２又は３記載の電子認証シート。
【請求項５】
上記シートは用紙であることを特徴とする請求項１，２，３又は４記載の電子認証シート。
【請求項６】
上記シートは高分子材料からなる樹脂シートであることを特徴とする請求項１，２，３又は４記載の電子認証シート。
【請求項７】
上記共振回路は絶縁基材に上記コイルを構成するコイルパターンと、上記コンデンサを構成するコンデンサパターンとが固着されて成り、該絶縁基材は上記シートと略同面積に形成されていることを特徴とする請求項１，２，３，４，５又は６記載の電子認証シート。
【請求項８】
請求項１，２，３，４，５，６又は７記載の電子認証シートと、該電子認証シート内に埋め込まれた共振回路の共振周波数を読み取るリーダとで構成され、該リーダによって該電子認証シートを識別することにより、該電子認証シートの真贋チェックあるいは分別処理ができるようにしたことを特徴とする電子認証システム。
【発明の詳細な説明】
【技術分野】
【０００１】
本発明は、電子認証シート及び該電子認証シートを認証するための電子認証システムに関するものであり、特に、認証を必要とする重要書類や証明書、証券、チケット等の真贋チェックあるいは偽造防止を可能にした電子認証シート及び該電子認証シートを認証するための電子認証システムに関するものである。
【背景技術】
【０００２】
従来、認証を必要とする重要書類や証券、金券、認定書等の認証手段として、主として印影が用いられているが、比較的容易に偽造品が作製できるため、これを回避すべく、例えば、肉眼で視認できない紫外線インク等による特殊インクを用いた識別コードを印字する方法等が知られている。然しながら、近年のコンピュータ技術やコピー技術、印刷技術の進歩により、比較的容易に之等の偽造品が作製できるようになってきており、印影や印刷等による認証手段のみでは、偽造を防止することは困難になってきている。
【０００３】
そこで、前述の問題を解決するために、書類にタグ部材等を貼付する方法等が知られており、又、例えば、特許文献１には用紙基材の紙層間に、非接触方式のタグ部材を漉き込んで内蔵する用紙が記載されている。
【特許文献１】特開平２００２−２９８１１８
【発明の開示】
【発明が解決しようとする課題】
【０００４】
前述したように、印影や紫外線インク等による特殊インクを用いた識別コードを印字する方法は、近年の技術の進歩により、比較的容易に偽造品が作製できるようになってきており、印影や印刷等による認証手段のみでは、偽造を防止することは困難になってきている。
【０００５】
一方、書類にタグ部材等を貼付する方法や、前記特許文献１に記載された用紙は前述の問題を解決するものであり、認証を要する用紙の偽造防止が期待できる。
【０００６】
然しながら、書類にタグ部材等を貼付する方法は、タグ部材が剥離されて不正が行われる虞があり、又、特許文献１に記載された用紙は用紙内にタグ部材を漉き込むものであるため、作成する工程が複雑であると共に、用紙も和紙等に限定されて高価になり、且つ、該タグ部材も漉き込みの工程で水に浸漬することとなるため、防水性能を要求される等の問題がある。更に、タグ部材を組み込んだ後に用紙に印刷、筆記等を行わなければならないという制限がある。
【０００７】
そこで、容易且つ安価に製作できると共に、確実に偽造を防止できる電子認証シート及び該電子認証シートを認証するための電子認証システムを得るために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、認証を必要とするシートであって、該シート内にコイルとコンデンサより構成される共振回路が埋め込まれている電子認証シートを提供するものである。
【０００９】
この請求項１記載の発明によれば、埋め込まれた共振回路の周波数を検知することにより、前記電子認証シートが正規のものであるかどうかを識別することができる。
【００１０】
又、請求項２記載の発明は、上記共振回路は固有の値に設定された共振周波数を有している請求項１記載の電子認証シートを提供するものである。
【００１１】
この請求項２記載の発明によれば、固有の値に設定された共振周波数によって、電子認証シートが特定される。
【００１２】
更に、請求項３記載の発明は、上記共振回路は複数の共振回路で構成されると共に、該複数の共振回路は互いに異なる共振周波数を有し、該異なる共振周波数の組合せによって識別情報を形成するように構成されている請求項１又は２記載の電子認証シートを提供するものである。
【００１３】
この請求項３記載の発明によれば、異なる共振周波数の組合せによる識別情報によって、識別の精度が高められる。
【００１４】
更に又、請求項４記載の発明は、上記シートは複数枚のシートを貼着してなり、上記共振回路は該複数枚のシート間に挟着されている請求項１，２又は３記載の電子認証シートを提供するものである。
【００１５】
この請求項４記載の発明によれば、上記共振回路は複数枚のシート間に挟着されているので、共振回路を埋め込む工程は容易である。
【００１６】
そして、請求項５記載の発明は、上記シートが用紙である請求項１，２，３又は４記載の電子認証シートを提供するものである。
【００１７】
この請求項５記載の発明によれば、用紙を用いるので安価である。
【００１８】
又、請求項６記載の発明は、上記シートが高分子材料からなる樹脂シートである請求項１，２，３又は４記載の電子認証シートを提供するものである。
【００１９】
この請求項６記載の発明によれば、樹脂シートを用いるので電子認証シートの耐久性が向上する。
【００２０】
更に、請求項７記載の発明は、上記共振回路は絶縁基材に上記コイルを構成するコイルパターンと、上記コンデンサを構成するコンデンサパターンとが固着されて成り、該絶縁基材は上記シートと略同面積に形成されている請求項１，２，３，４，５又は６記載の電子認証シートを提供するものである。
【００２１】
この請求項７記載の発明によれば、前記電子認証シートは表面と裏面が膨らむことなく略平坦に形成される。
【００２２】
更に又、請求項８記載の発明は、請求項１，２，３，４，５，６又は７記載の電子認証シートと、該電子認証シート内に埋め込まれた共振回路の共振周波数を読み取るリーダとで構成され、該リーダによって該電子認証シートを識別することにより、該電子認証シートの真贋チェックあるいは分別処理ができるようにした電子認証システムを提供するものである。
【００２３】
この請求項８記載の発明によれば、電子認証シートに埋め込まれた共振回路の共振周波数を読み取ることにより電子認証シートの真贋チェックあるいは分別処理が行える電子認証システムを得ることができる。
【発明の効果】
【００２４】
本発明の請求項１の発明は、認証を必要とするシートであって、該シート内にコイルとコンデンサより構成される共振回路が埋め込まれている電子認証シートであるので、埋め込まれた共振回路の周波数を検知することにより、前記電子認証シートが正規のものであるかどうかを識別することができる。又、このような電子認証シートを用いることにより、容易に偽造できない電子認証シートを得ることができる。
【００２５】
又、請求項２記載の発明は、上記共振回路は固有の値に設定された共振周波数を有しているので請求項１記載の発明の効果に加え、固有の値に設定された共振周波数によって、電子認証シートが特定され、前記電子認証シートが正規のものであるかどうかを確実に識別することができる。
【００２６】
更に、請求項３記載の発明は、上記共振回路は複数の共振回路で構成されると共に、該複数の共振回路は互いに異なる共振周波数を有し、該異なる共振周波数の組合せによって識別情報を形成するように構成されているので、請求項１又は２記載の発明の効果に加え、異なる共振周波数の組合せによる識別情報によって、識別の精度が高められ、偽造防止効果が高まる。
【００２７】
更に又、請求項４記載の発明は、上記シートは複数枚のシートを貼着してなり、上記共振回路は該複数枚のシート間に挟着されているので請求項１，２又は３記載の発明の効果に加え、共振回路を埋め込む工程は容易であると共に、一旦、シート間に挟着されて共振回路が埋め込まれると該共振回路を取り出して不正行為を行うことが困難である。
【００２８】
そして、請求項５記載の発明は、上記シートは用紙であるので、請求項１，２，３又は４記載の発明の効果に加え、安価であると共に、該用紙表面に印刷又は筆記等が可能である。
【００２９】
又、請求項６記載の発明は、上記シートは高分子材料からなる樹脂シートであるので請求項１，２，３又は４記載の発明の効果に加え、耐久性が向上する。
【００３０】
更に、請求項７記載の発明は、上記共振回路は絶縁基材に上記コイルを構成するコイルパターンと、上記コンデンサを構成するコンデンサパターンとが固着されて成り、該絶縁基材は上記シートと略同面積に形成されているので請求項１，２，３，４，５又は６記載の発明の効果に加え、前記電子認証シートは表面と裏面が膨らむことなく略平坦に形成されるため、外観が良好になると共に、内部に共振回路が組み込まれていることを気づかれない利点がある。
【００３１】
更に又、請求項８記載の発明は、請求項１，２，３，４，５，６又は７記載の電子認証シートと、該電子認証シート内に埋め込まれた共振回路の共振周波数を読み取るリーダとで構成され、該リーダによって該電子認証シートを識別することにより、該電子認証シートの真贋チェックあるいは分別処理ができるようにした電子認証システムであるので、電子認証シートに埋め込まれた共振回路の共振周波数を読み取ることにより電子認証シートの真贋チェックあるいは分別処理が行え、偽造、不正行為等の発見を可能にした電子認証システムを得ることができる等、著大なる効果を奏する発明である。
【発明を実施するための最良の形態】
【００３２】
本発明は、容易且つ安価に製作できると共に、確実に偽造を防止できる電子認証シート及び該電子認証シートを認証するための電子認証システムを得るという目的を、シート内にコイルとコンデンサより構成される共振回路が埋め込まれている電子認証シートにより
達成した。
【実施例１】
【００３３】
以下、実施例１について図１乃至図３に従って詳述する。図１（ａ）は本発明に用いる認証用の共振回路の平面図を示し、図１（ｂ）は該共振回路の縦断面図を示す。図１に於いて、１は認証用の共振回路であり、該共振回路１は絶縁基材２上に載置されてコイル状に形成される金属薄膜から成るコイルパターン３と、該絶縁基材２の表面及び裏面に夫々配置される電極４及び電極５を有するコンデンサパターン６とを備えている。
【００３４】
そして、該電極５は該電極５から前記絶縁基材２の裏面中央部に延びる延設部７に接続され、該延設部７の先端部は、該延設部７の先端部から起立して前記絶縁基材２を貫通し前記コイル３の中央部に接続される接続子８に接続されている。これにより前記コイルパターン３とコンデンサパターン６とは互いに接続され固有の共振周波数を有する前記共振回路１が形成される。
【００３５】
図２（ａ）は本発明の電子認証シートの平面図を、図２（ｂ）は電子認証シートの縦断面図を示す。図２に於いて、９は電子認証シートを示し、該電子認証シート９は、上紙10と下紙11から成るシートである用紙12と前記共振回路１とから構成されており、該共振回路１は該用紙12を構成する上紙10と下紙11間に接着剤１３を介して挟着され該用紙12内に埋め込まれている。尚、該用紙１２は３枚以上の用紙が積層されて構成されても良い。
【００３６】
このようにして構成された前記電子認証シート９は、図３に示す如く、リーダ14の送信部15より前記電子認証シート９の共振回路１と同じ周波数の電波を送信することにより、該共振回路１が共振して電波が誘導され、該共振回路１から同様の周波数の電波が発信される。そして、該共振回路１から発信された電波を該リーダ14の受信部16にて受信し、制御部17にて該受信電波を認識する。このように該リーダ14から発信される周波数と同様の周波数の電波を前記共振回路１が発信することにより、該電子認証シート9が正しい正規の認証シートであると判定することができる。
【００３７】
一方、該リーダ14から発信される電波の周波数と異なる周波数の電波を前記共振回路１が発信するか、もしくは全く発信しない場合には、検査している電子認証シート９が正規の認証シートでないことを示している。斯くして、前記電子認証シート９の真贋を確実にチェックすることができる。
【実施例２】
【００３８】
以下、実施例２について図４に従って詳述する。図４（ａ）は電子認証シートの平面図、図４（ｂ）は電子認証シートの縦断面図を示す。図４に於いて、１８は前記電子認証シート（図２に於いて９）に代わる電子認証シートであり、該電子認証シート１８は前記電子認証シート（図２に於いて９）に埋め込まれた共振回路（図２に於いて１）に代えて、認証の偽造防止効果をさらに強化した組合せ共振回路１９を埋め込んだものであり、該組合せ共振回路１９は固有周波数が互いに異なる２つの共振回路２０，２１を組合せて成るものであり、異なる固有周波数の組み合わせによってより複雑な識別情報をもつように構成したものである。該２つの共振回路２０，２１は夫々前述した共振回路（図２に於いて１）と略同様の構成を有し、固有周波数が互いに異なるように構成されている。
【００３９】
該組合せ共振回路１９は、前述したリーダ（図３に於いて１４）によって該２つの共振回路２０，２１と夫々同じ共振周波数を順次発信し、該２つの共振回路２０，２１が両方とも該共振周波数に対して夫々応答する場合、即ち、リーダの発信した周波数と同じ共振周波数を夫々発信する場合にのみ該組合せ共振回路１９をもつ電子認証シート１８が正規のものであると判定され、どちらか一方のみあるいは両方が反応（発信）しなければ、該
電子認証シート１８は偽造されたものと見なされる。このように組合せ共振回路１９を用いることにより偽造防止効果がより一層強化されることになる。
【００４０】
尚、該組合せ共振回路１９は２つの共振回路２０，２１の組合せにより構成されるが、これに代えて、３つ以上の共振回路を組合せて構成することも可能であり、然る時は、偽造防止効果が更に強化される。
【実施例３】
【００４１】
以下、実施例３について図５に従って詳述する。図５（ａ）は電子認証シートの平面図、図５（ｂ）は電子認証シートの縦断面図を示す。図５に於いて、２３は電子認証シートであり、該電子認証シート２３は一枚の用紙２４内に共振回路１が埋め込まれたものであり、該用紙２４は、例えば、和紙等の製造方法に代表される紙を漉く方法で作製され、該共振回路１は前記用紙２４を製造する過程で織り込むことにより該用紙12内に埋め込まれる。該電子認証シート２３も前記リーダ（図３に於いて14）から発信される周波数と同じ周波数の電波を発信することにより、該電子認証シート9が正しい正規の電子認証シートであると判定することができる。
【００４２】
一方、該リーダからの電波に対して、対応する周波数の電波と異なる周波数の電波を発信するか、もしくは全く発信しない場合には、検査している電子認証シートが正規の認証シートでないことを示している。これにより、電子認証シートの真贋を確実にチェックすることができ、偽造防止が図れる。
【００４３】
尚、前記電子認証シート２３内に埋め込まれた共振回路１に代えて前記組合せ共振回路（図４に於いて１９）を埋め込むことも可能であり、然る時は、該組み合わせ共振回路によって、偽造防止効果が更に強化される。
【実施例４】
【００４４】
以下、実施例４について図６及び図７に従って詳述する。図６（ａ）は電子認証シートの主要部を示している。図６（ｂ）は該共振回路の縦断面図を示す。図７（ａ）は電子認証シートの平面図を示し、図７（ｂ）は該電子認証シートの縦断面図を示している。
【００４５】
図６に於いて、２５は前記共振回路（図１に於いて１）に代えて用いられる共振回路シートであり、該共振回路シート２５は前記用紙（図２に於いて12）と略同じ大きさ(面積)に形成された絶縁基材２６の所定位置に前記共振回路（図１に於いて１）と略同構成の共振回路２７が形成され、該共振回路２７のコイルパターン２８及びコンデンサパターン２９の外方の該絶縁基材２６の表面及び裏面には該コイルパターン２８及びコンデンサパターン２９と同じ材質の金属薄膜３０，３０が固着されている。
【００４６】
図７に於いて、３１は電子認証シートを示し、該電子認証シート３１は前記共振回路シート２５と略同じ大きさ(面積)に形成された上紙３２と下紙３３の間に接着剤３４を介して該共振回路シート２５が貼着されたものであり、該電子認証シート３１も前記電子認証シート（図２に於いて９）と略同様の効果を得ることができる共に、該電子認証シート３１は前記上紙３２と下紙３３が膨らむことなく略平坦に形成されるため、外観が良好になると共に、内部に前記共振回路２７が組み込まれていることを気づかれない利点がある。
【００４７】
尚、前記電子認証シート３１に於いて前記共振回路シート２５は前記共振回路２７の外方に金属薄膜３０，３０が貼着されていたが、該金属薄膜３０，３０が貼着されない構成も可能であり、或いは、該金属薄膜３０，３０に代えて、紙、樹脂シート等を貼着しても良く、然る時も略同様の効果を得ることができる。
【００４８】
又、前記電子認証シート９，１８，２３，３１に於いて、共振回路１，１９，２７は使用される形態に応じて任意の場所に埋め込むことができ、然る時も、偽造防止の効果が損なわれることはない。
【００４９】
更に、上記実施例では、シートとして用紙を用いて説明したが、該用紙に代えて、高分子フィルム等の樹脂シートから成る絶縁性フィルムを用いても良く、然る時も略同様の効果を得ることができる。そして、この場合に於いては、共振回路を埋め込むようにしてシートを一体成型することも可能であり、或いは、シートに穴明け加工して共振回路を埋め込んだ後、樹脂等で該共振回路を被覆する等、種々の製作方法が考えられ、然る時も同様の効果が期待できる。又、シートは他の材料、例えば、ゴム、ファイバー、布等の非導電体の材料で形成することが可能であり、しかる時も同様な効果が期待できる。
【００５０】
更に又、前記電子認証シート３１に於いて、１個の共振回路を用いて説明したが、複数の共振回路を備えた組み合わせ共振回路を設けることも可能であり、然る時は偽造防止効果が更に強化される。
【００５１】
又、前記電子認証シート９，１８，２３，３１はシートであるが、シートに代えて同様の構成をカードで実現することも可能であり、然る時も、略同様の効果を得ることができる。
【００５２】
尚、本発明は、本発明の精神を逸脱しない限り改変を為すことができ、そして、本発明が該改変されたものに及ぶことは当然である。
【図面の簡単な説明】
【００５３】
【図１】（ａ）本発明一実施の形態を示し、電子認証シートに用いる共振回路の平面図。（ｂ）図１（ａ）に示す共振回路の縦断面図。
【図２】（ａ）本発明一実施の形態を示し、電子認証シートの平面図。（ｂ）図２（ａ）に示す電子認証シートの縦断面図。
【図３】本発明一実施の形態を示し、電子認証システムの説明図。
【図４】（ａ）実施例２に示す一実施の形態を示し、電子認証シートの平面図。（ｂ）図４（ａ）に示す電子認証シートの縦断面図。
【図５】（ａ）実施例３に示す一実施の形態を示し、電子認証シートの平面図。（ｂ）図４（ａ）に示す電子認証シートの縦断面図。
【図６】（ａ）実施例４に示す一実施の形態を示し、共振回路シートの平面図。（ｂ）図４（ａ）に示す共振回路シートの縦断面図。
【図７】（ａ）実施例４に示す一実施の形態を示し、電子認証シートの平面図。（ｂ）図４（ａ）に示す電子認証シートの縦断面図。
【符号の説明】
【００５４】
１,２０，２１    共振回路
２    絶縁基材
３    コイルパターン
６    コンデンサパターン
９，１８，２３，２８    電子認証シート
１２    用紙
１４    リーダ
【図１】
2005208775.tif 000003
【図２】
2005208775.tif 000004
【図３】
2005208775.tif 000005
【図４】
2005208775.tif 000006
【図５】
2005208775.tif 000007
【図６】
2005208775.tif 000008
【図７】
2005208775.tif 000009